(57)【要約】【課題】ユーザが腕の適切な位置に、簡単かつ確実に装着できる生体情報測定器を提供する。【解決手段】ユーザの腕の周方向に装着され、腕の筋肉の変位を検出するセンサが配置されたベルト部１１０と、ベルト部の所定箇所に取り付けられ、センサが検出した変位の信号を処理する回路部品が収容されるケース部１２０とを備える。ケース部１２０は、ベルト部１１０を腕に装着した際に、ベルト部１１０からケース部１２０が腕の長手方向に突出する形状とすると共に、その長手方向に突出する突出量Ｄ１，Ｄ２を、一方と他方で異なる突出量とした。【選択図】図１
2019054956.tif 000002
【特許請求の範囲】
【請求項１】
ユーザの腕の周方向に装着され、腕の筋肉の変位を検出するセンサが配置されたベルト部と、
前記ベルト部の所定箇所に取り付けられ、前記センサが検出した変位の信号を処理する回路部品が収容されるケース部と、を備え、
前記ケース部は、前記ベルト部を腕に装着した際に、前記ベルト部から前記ケース部が腕の長手方向に突出する形状にすると共に、その長手方向に突出する突出量を、一方と他方で異なる突出量とした
生体情報測定器。
【請求項２】
前記ケース部の前記ベルト部に対する一方の前記突出量は、前記センサが筋肉の変位を検出するのに適した腕の位置と、手首の位置との間の距離とほぼ等しいようにした
請求項１に記載の生体情報測定器。
【請求項３】
前記ベルト部は、
腕に装着する際に一端と他端を接続する機構部品が取り付けられた第１ベルト部材と、
前記第１ベルト部材の裏面側に配置され、前記センサが配置されて、装着時に腕と接触する第２ベルト部材とを有し、
前記第１ベルト部材と前記第２ベルト部材は、腕の周方向に沿ってスライド可能な状態で接続するようにした
請求項１又は２に記載の生体情報測定器。
【請求項４】
前記第１ベルト部材は、前記ケース部の表面の一部を覆うカバーが一体に形成され、
前記カバーの一部に、前記ケース部の表面に形成された溝に嵌る壁部を設けるようにした
請求項３に記載の生体情報測定器。
【請求項５】
前記ベルト部のセンサ取り付け位置には、光学レンズを配置するようにした
請求項１〜４のいずれか１項に記載の生体情報測定器。
【発明の詳細な説明】
【技術分野】
【０００１】
本発明は、ゲーム、ロボット、あるいはコンピュータなどの操作を行うコントローラに使用して好適な生体情報測定器に関する。
【背景技術】
【０００２】
近年、バーチャルリアリティ技術の進展やヘッドマウントディスプレイの普及に伴って、映像で提示された仮想空間内で様々な体験ができるビデオゲームの開発が進められている。
このようなビデオゲームをユーザが操作する場合、従来のボタンやキーが配置されたコントローラを使って操作するよりも、ユーザの手や指の動きで操作する方が、より臨場感が増す。例えば、ビデオカメラを使って撮影した画像から、ユーザの手の動きを検出し、検出した手の動きをビデオゲームに反映させることが知られている。
【０００３】
しかし、ビデオカメラを使ってユーザの動きを検出する場合には、ビデオカメラが撮影可能なユーザの動きに基づいた操作しかできないため、ビデオカメラからは見えない指の動き等を検出することは原理的に不可能である。
【０００４】
この問題点を解決するため、本出願人は、先にユーザの腕に装着した測定器で、指の動きを検出する技術を提案した（特許文献１参照）。
特許文献１に記載される技術は、ユーザの腕に装着した測定器に配置した光学式距離センサで、指を動かす筋肉の変位を検出して、ユーザの手指の動きを検出するようにしたものである。この特許文献１に記載した測定器の場合、筋肉の変位を検出する光学式距離センサを配置すると共に、この光学式距離センサに加えて、筋肉に対して刺激を行う電極を配置し、ユーザの手指の動きを検出しながら、手指の動きを制御する双方向性を持たせている。
【先行技術文献】
【特許文献】
【０００５】
【特許文献１】特開２０１７−１３１３６２号公報
【発明の概要】
【発明が解決しようとする課題】
【０００６】
上述したような仮想空間などの映像を用いたゲームを実行する場合、ユーザの腕に装着する測定器は、できるだけ小型・軽量に構成して、ゲーム実行時にユーザに違和感を与えないようにすることが好ましい。このため、特許文献１に記載した測定器から筋肉を刺激する電極を省略して、光学式距離センサのみを配置した小型の測定器とすることが考えられる。
【０００７】
ところが、測定器を単純に小型に構成した場合、測定器の装着位置が常に適切になるとは限らないという問題が起こる。すなわち、筋肉の変位を検出するセンサは、筋肉の変位を検出する際の適切な検出位置が限られており、腕の予め決められた位置に測定器を装着する必要がある。具体的には、手首から数センチ程度離れた位置の腕（前腕）に、光学式距離センサを配置するのが好ましいが、測定器が小型である場合、そのような位置に常に装着されるとは限らない。例えば、測定器を手首に巻くように装着した場合には、筋肉の変位を検出することできない場合が起こり得る。そのような場合には、測定器の本来の測定能力が生かされない使用状態になってしまう。
【０００８】
本発明は、ユーザが腕の適切な位置に、簡単にしかも確実に装着することができる生体情報測定器を提供することを目的とする。
【課題を解決するための手段】
【０００９】
本発明の生体情報測定器は、ユーザの腕の周方向に装着され、腕の筋肉の変位を検出するセンサが配置されたベルト部と、ベルト部の所定箇所に取り付けられ、センサが検出した変位の信号を処理する回路部品が収容されるケース部と、を備える。
ケース部は、ベルト部を腕に装着した際に、ベルト部からケース部が腕の長手方向に突出する形状にすると共に、その長手方向に突出する突出量を、一方と他方で異なる突出量とした。
【発明の効果】
【００１０】
本発明によれば、ケース部がベルト部から突出した形状であるため、ベルト部をユーザの腕に装着する際に、手首からある程度離れた箇所の腕に装着できるようになる。例えば、ベルト部からの突出量が大きい側を手首に向けて装着するように、案内用のマークなどを付けることで、自動的に腕の適切な位置に装着することができる。したがって、ベルト部に配置されたセンサは、手指の動きに伴った筋肉の変位を良好に検知することができるので、良好な生体情報を測定することが可能になる。
【図面の簡単な説明】
【００１１】
【図１】本発明の一実施の形態例による生体情報測定器の表面側の斜視図である。
【図２】本発明の一実施の形態例による生体情報測定器の裏面側の斜視図である。
【図３】本発明の一実施の形態例による生体情報測定器の側面図である。
【図４】本発明の一実施の形態例による生体情報測定器の表面側の分解斜視図である。
【図５】本発明の一実施の形態例による生体情報測定器の裏面側の分解斜視図である。
【図６】本発明の一実施の形態例による生体情報測定器の装着直前の状態を示す斜視図である。
【図７】本発明の一実施の形態例による生体情報測定器の装着状態を示す斜視図である。
【図８】本発明の一実施の形態例による生体情報測定器の装着状態を示す平面図である。
【発明を実施するための形態】
【００１２】
以下、本発明の一実施の形態例（以下、「本例」と称する）の生体情報測定器について、添付図面を参照して説明する。
【００１３】
［１．生体情報測定器の構成］
図１及び図２は、それぞれ本例の生体情報測定器１００の表面側及び裏面側を示し、図３は生体情報測定器１００の側面を示す。また、図４及び図５は、本例の体情報測定器１００を構成する部品を分解して示す分解斜視図であり、図４は表面側から見た分解斜視図、図５は裏面側から見た分解斜視図である。但し、図４及び図５の分解斜視図では、回路基板や電池などの内部に配置される一部の構成要素は省略している。
【００１４】
本例の生体情報測定器１００は、後述する図６及び図７に示すように、ユーザの腕に巻き付けて装着するものである。腕に装着された生体情報測定器１００は、腕の筋肉の変位から手首ｗや指ｆ１〜ｆ５の動きを測定し、その測定結果に基づいて、ゲームなどの操作を行うコントローラとして使用される。なお、本例の生体情報測定器１００をゲームのコントローラとして使用するのはあくまでも一例であり、本例の生体情報測定器１００は、ロボットやコンピュータなどの様々な電子機器やソフトウェアを制御するコントローラとして、その適用が可能である。
【００１５】
まず、生体情報測定器１００の全体構成について説明する。
生体情報測定器１００は、腕に巻き付けるための部材である第１ベルト部材１１０を備える。第１ベルト部材１１０は、ケース部蓋１２０の表面部１２１の一部を覆うカバー１１１と、カバー１１１に接続された剣先側ベルト１１３及び親側ベルト１１４とを有する。この第１ベルト部材１１０は、シリコンゴムなどの柔軟性を有する樹脂で形成される。
【００１６】
ケース部蓋１２０は、図４及び図５に示すケース部底面１３０と接合することで、ケース部本体を形成する部材である。図４や図５の分解斜視図では図示を省略するが、ケース部本体の内部には、生体情報測定器１００としての測定処理などを行う回路部品が実装された回路基板や、電池が内蔵される。ケース部蓋１２０やケース部底面１３０は、ＡＢＳ樹脂（acrylonitrile butadiene styrene樹脂）などの比較的硬質の樹脂で形成される。
【００１７】
ケース部底面１３０の裏面側には、第２ベルト部材１４０、１５０が配置される。第２ベルト部材１４０、１５０は、表面側の第２ベルト部材１４０と、裏面側の第２ベルト部材１５０とを接着などで一体に接合することで形成される。表面側の第２ベルト部材１４０と裏面側の第２ベルト部材１５０は、シリコンゴムなどの柔軟性を有する樹脂で形成される。
また、表面側の第２ベルト部材１４０と、裏面側の第２ベルト部材１５０との間には、図４及び図５に示すように、センサ基板１６０が内蔵される。以下の説明では、表面側の第２ベルト部材１４０を、第２ベルト部材（表側）と称し、裏面側の第２ベルト部材１５０を、第２ベルト部材（裏側）と称する。
【００１８】
次に、各構成部材の詳細な構成について説明する。
第１ベルト部材１１０のカバー１１１に接続された剣先側ベルト１１３には、装着用孔１１６が所定の間隔で複数配置されている。また、親側ベルト１１４の先端には、尾錠接続部１１７が形成され、剣先側ベルト１１３と接続するための機構部品である尾錠２１０が取り付けられている。生体情報測定器１００を腕に装着する際には、尾錠２１０に剣先側ベルト１１３の先端を通し、尾錠２１０に取り付けられた固定棒２１１を、剣先側ベルト１１３側のいずれかの装着用孔１１６に嵌める。生体情報測定器１００は、固定棒２１１を嵌める装着用孔１１６の位置の選択で、ユーザの腕のサイズの違いに対応することができる。
なお、第１ベルト部材１１０の剣先側ベルト１１３及び親側ベルト１１４には、第２ベルト部材１４０，１５０と接続するための長孔１１５ａ，１１５ｂが形成されている。また、第１ベルト部材１１０の親側ベルト１１４の尾錠接続部１１７の近傍には、剣先側ベルト１１３を通すためのワッパ１１８が配置されている。
【００１９】
第１ベルト部材１１０の中央のカバー１１１は、図４に示すように、ケース部蓋１２０の表面部１２１を覆う形状であり、カバー１１１のほぼ中央部には透孔１１２が形成されている。この透孔１１２の縁には、壁部１１２ａが形成されている。
そして、ケース部蓋１２０の表面部１２１の上にカバー１１１を被せたとき、ケース部蓋１２０の上面部１２２が透孔１１２から露出する。ケース部蓋１２０の上面部１２２には、電源スイッチとして機能するボタン１２３が配置されている。
【００２０】
なお、ケース部蓋１２０の上面部１２２の周囲には、溝１２４が形成され、ケース部蓋１２０の上にカバー１１１を被せたとき、ケース部蓋１２０側の溝１２４に、カバー１１１側の壁部１１２ａが嵌る。また、図５に示すように、第１ベルト部材１１０のカバー１１１の端には、端子蓋１１９が一体に形成されている。この端子蓋１１９は、ケース部本体に配置された端子（不図示）に蓋をする部材である。
また、図１に示すように、第１ベルト部材１１０の中央のカバー１１１の表面には、手の形状を模したマークｍが刻印や印刷などで形成される。このマークｍは、生体情報測定器１００を腕に装着する際の、装着方向のガイドとして機能する。
【００２１】
ケース部蓋１２０と接合されるケース部底面１３０には、部品配置箇所１３１が形成され、部品配置箇所１３１に不図示の回路基板や電池が取り付けられる。
なお、図１に示すように、カバー１１１で覆われるケース部本体は、剣先側ベルト１１３や親側ベルト１１４の横幅から突出する形状としており、各ベルト１１３，１１４の横幅からの突出量Ｄ１，Ｄ２（図１，図６参照）を、一方の突出量Ｄ１と他方の突出量Ｄ２とで異なるようにしている。生体情報測定器１００を腕の手首の近傍に装着した際には、剣先側ベルト１１３や親側ベルト１１４と直交する方向である、腕の長手方向に突出量Ｄ１，Ｄ２だけケース部本体が突出する。ここで、本例の場合には、腕の手首に近い側が長い突出量Ｄ２になり、反対側（肘に近い側）が短い突出量Ｄ１になる。
【００２２】
ケース部底面１３０の周囲の複数箇所には、切欠１３２が形成され、第２ベルト部材（表側）１４０の中央の枠１４１に形成された接続片１４２が、切欠１３２に挿入される。この第２ベルト部材（表側）１４０の接続片１４２が、ケース部底面１３０の切欠１３２に挿入されることで、ケース部底面１３０に第２ベルト部材（表側）１４０が接続される。
【００２３】
第２ベルト部材（表側）１４０は、図４に示すように、中央の枠１４１に剣先側ベルト１４３と親側ベルト１４４とが取り付けられる。また、剣先側ベルト１４３と親側ベルト１４４の内側（裏側）には、図５に示すように、センサ基板１６０を配置するため凹部１４３ａ，１４４ａが形成されている。
第２ベルト部材（裏側）１５０は、図５に示すように、剣先側ベルト１５２と親側ベルト１５３の外側（裏側）に、複数の筒部１５４が連続して配置されている。それぞれの筒部１５４には、図４に示すように光学レンズアレー１７０のレンズ部１７１が嵌め込まれる。
【００２４】
また、図４に示すように、第２ベルト部材（裏側）１５０は、センサ基板配置部１５５を備える。そして、センサ基板１６０を間に挟んだ状態で、第２ベルト部材（表側）１４０と第２ベルト部材（裏側）１５０とが接合される。
センサ基板１６０には、図５に示すように、複数のセンサ１６１が連続して配置されている。それぞれのセンサ１６１には、第２ベルト部材（裏側）１５０の筒部１５４に嵌め込まれたレンズ部１７１が近接して配置され、センサ１６１により生体情報測定器１００が巻かれた腕の筋肉の変位が検出される。
【００２５】
センサ１６１としては、例えば赤外線を使って距離を検出する光学式距離センサが使用される。このセンサ基板１６０は、ほぼ中央に接続部１６２を有し、ケース部底面１３０に配置された回路基板（不図示）に接続される。そして、回路基板に取り付けられた不図示の集積回路により筋肉の変位の検出処理が行われる。検出された筋肉の変位の情報は、回路基板に取り付けられた無線通信回路で外部の機器に無線伝送される。
なお、センサ基板１６０の一端及び他端には、孔１６３，１６４が形成されている。
【００２６】
また、第２ベルト部材（裏側）１５０は、図４に示すように、中央部１５１に複数のネジ孔１５１ａを備える。この複数のネジ孔１５１ａに挿入されるネジ（不図示）により、第２ベルト部材１４０，１５０の中央部１５１が、ケース部蓋１２０やケース部底面１３０に固定される。
【００２７】
そして、第２ベルト部材（表側）１４０の剣先側ベルト１４３の先端には孔１４５が形成され、第２ベルト部材（表側）１４０の親側ベルト１４４の先端には、孔１４６が形成される。さらに、第２ベルト部材（裏側）１５０の剣先側ベルト１５２の先端には孔１５６が形成され、第２ベルト部材（裏側）１５０の親側ベルト１５３の先端には、孔１５７が形成される。
【００２８】
これらの第２ベルト部材１４０，１５０の孔１４５，１４６，１５６，１５７は、連結金具２２０，２３０を使って、第１ベルト部材１１０と接続するために使用される。すなわち、図４及び図５に示すように、第２ベルト部材（裏側）１５０の孔１５６，１５７には、連結金具２２０，２３０が取り付けられる。それぞれの連結金具２２０，２３０は、図４に示すようにピン２２１，２３１を有する。それぞれのピン２２１，２３１は、先端が若干膨らんだ形状である。
【００２９】
生体情報測定器１００として組み立てられる際には、ピン２２１，２３１が、センサ基板１６０の孔１６３，１６４と第２ベルト部材（表側）１４０の孔１４５，１４６を介して、第１ベルト部材１１０の長孔１１５ａ，１１５ｂに嵌められる。ここで、ピン２２１，２３１の先端の膨らんだ箇所は、長孔１１５ａ，１１５ｂの横幅よりも若干広く形成されている。これにより、図１に示すように、ピン２２１，２３１が長孔１１５ａ，１１５ｂに嵌った状態が維持される。さらに、ピン２２１，２３１は、第１ベルト部材１１０の長孔１１５ａ，１１５ｂに沿ってスライドできるようになっている。このピン２２１，２３１のスライドは、生体情報測定器１００を腕に巻いて装着する際の、第１ベルト部材１１０と第２ベルト部材１４０，１５０との位置のずれを吸収する際に行われる。この位置のずれの吸収する作用の詳細は後述する。
【００３０】
［２．生体情報測定器の装着状態］
次に、本例の生体情報測定器１０を腕に装着する際の装着状態を、図６〜図８を参照して説明する。
まず、生体情報測定器１０を装着するユーザは、図６に示すように手首ｗの近傍の腕ａに載せ、第１ベルト部材１１０の剣先側ベルト１１３と親側ベルト１１４を曲げて、腕に巻き付ける。ここで、第１ベルト部材１１０の剣先側ベルト１１３の装着用孔１１６に、尾錠２１０の固定棒２１１を嵌めることで、腕ａに装着した状態が維持される。
腕ａに生体情報測定器１０を載せる際には、カバー１１１の表面の手の形状を模したマークｍにより、装着方向が定まる。すなわち、ユーザは、カバー１１１の手の形状を模したマークｍが配置された側を、手首ｗに近づけた状態で生体情報測定器１０を装着するようにする。
【００３１】
ここで、生体情報測定器１０のケース部本体は、既に説明したように剣先側ベルト１１３や親側ベルト１１４の横幅から突出量Ｄ１，Ｄ２だけ突出した形状としている。特に、手首ｗに近い側の突出量Ｄ２を、反対側の突出量Ｄ１よりも大きくすることで、ユーザが装着する際には、少なくともその大きな突出量Ｄ２だけ、手首ｗから離した腕ａに装着することになる。すなわち、図６及び図７に示す位置よりも手首ｗに近い位置に生体情報測定器１０を装着しようとした場合、ケース部本体が手首ｗと重なって、手首ｗを曲げたときに手首ｗがケース部本体と接触するため、好ましくない装着状態になってしまう。したがって、ユーザは、そのような手首ｗとの接触を避けるために自動的に突出量Ｄ２だけ離して生体情報測定器１０を装着することができる。
【００３２】
図７に示すように、生体情報測定器１０のケース部本体を手首ｗから突出量Ｄ２だけ離して腕ａに装着することで、生体情報測定器１０に配置されたセンサ１６１は、適切な位置で筋肉の変位を検出することができる。すなわち、生体情報測定器１０に配置されたセンサ１６１は、手首ｗから少なくとも数センチは内側（肩側）の箇所で、腕ａの筋肉の変位を検出するのが好ましいが、上述した突出量Ｄ２の適切な設定で、自動的に腕ａの筋肉の変位を適切に検出できるようになる。つまり、突出量Ｄ２として、センサ１６１が筋肉の変位を検出するのに適した腕の位置と、手首の位置との間の距離とほぼ等しいように設定することで、ユーザは、生体情報測定器１０が筋肉の変位を適切に検出できる位置に自動的に装着することができる。
【００３３】
図８は、生体情報測定器１０の第１ベルト部材１１０の剣先側ベルト１１３を親側ベルト１１４に接続した装着状態を示す。
図８に示すように、腕に装着した状態では、第２ベルト部材１４０，１５０の内側に形成された複数の筒部１５４の先端が腕の表面と接触し、第２ベルト部材１４０，１５０の内部に配置されたセンサ１６１（図５）が、腕の筋肉の変位を検出する。ここで本例の場合には、それぞれの筒部１５４にレンズ１７１（図５）が嵌め込まれているため、センサ１６１での筋肉の変異の検出が精度良く行うことができる。
【００３４】
また、第１ベルト部材１１０と第２ベルト部材１４０，１５０は、中央部がネジ孔１５１ａ（図４）を使ったネジ止めで固定されており、さらに端部が連結金具２２０，２３０を使ってある程度スライドできる状態で接続されているので、装着時の第１ベルト部材１１０と第２ベルト部材１４０，１５０との位置のずれを吸収することができる。
【００３５】
すなわち、図１に示すように第１ベルト部材１１０と第２ベルト部材１４０，１５０とを直線状に引き延ばした状態では、第１ベルト部材１１０と第２ベルト部材１４０，１５０とを接続するピン２２１，２３１が、長孔１１５ａ，１１５ｂの内側（中央寄り）に位置している。そして、図８に示すように腕に巻き付けた状態では、第１ベルト部材１１０と第２ベルト部材１４０，１５０の曲げ時の半径の相違のために、ピン２２１，２３１が、長孔１１５ａ，１１５ｂの外側に位置するようになる。
【００３６】
このように装着時にピン２２１，２３１の位置が長孔１１５ａ，１１５ｂに沿ってスライドすることで、装着時の第１ベルト部材１１０と第２ベルト部材１４０，１５０との位置のずれを良好に吸収することができる。この位置のずれを適切に吸収できることで、腕に装着した際には、第２ベルト部材１４０，１５０の筒部１５４の先端が、腕と密着するようになり、腕の筋肉の変位を良好に検出できるようになる。
【００３７】
なお、図８に示すように、第１ベルト部材１１０及び第２ベルト部材１４０、１５０を曲げて腕に装着した際には、各ベルト部材１１０、１４０、１５０を内側に曲げる力Ｐ１，Ｐ２が働くことで、中央のカバー１１１を第１ベルト部材１１０の長手方向に引っ張る力Ｐ３，Ｐ４が生じる。この力Ｐ３，Ｐ４の発生で、そのままでは、カバー１１１の透孔１１２の縁が引っ張られて、カバー１１１がケース部蓋１２０から外れる可能性があるが、本例の場合には、カバー１１１の透孔１１２の縁に形成した壁部１１２ａが、ケース部蓋１２０の溝１２４に嵌っているため、カバー１１１が外れることがない。
【００３８】
以上説明したように、本例の生体情報測定器１０によると、ケース部本体がベルト部材１１０，１４０，１５０から突出した形状としたことで、腕に装着する際に、センサが指や手首の動きに連動した筋肉の変位を検出するのに適切な位置である、手首からある程度離れた位置に自動的に装着される。したがって、本例の生体情報測定器１０によると、装着したユーザの指や手首の動きを良好に測定することができる。しかも本例の生体情報測定器１０は、ベルト部材１１０，１４０，１５０で腕に巻き付けるだけの非常に簡単な機構であると共に小型であり、ユーザに異物を装着している違和感を与えることがない。
【００３９】
そして、ベルト部材として、センサ基板１６０が内蔵された第２ベルト部材１４０，１５０と、その表面側で腕に巻き付ける機構部品が取り付けられた第１ベルト部材１１０に分けたことで、生体情報測定器１０としての使用状態を良好にすることができる。すなわち、腕に巻き付ける機構部品が取り付けられた第１ベルト部材１１０は、腕への装着を繰り返すことで消耗して損傷する可能性があるが、比較的容易に取り外して交換が可能である。一方、センサ基板１６０などが内蔵された第２ベルト部材１４０、１５０は腕への装着時に消耗する部材がなく、測定器としての耐久性を高めることができる。
【００４０】
［３．変形例］
なお、図１〜図８に示す生体情報測定器１００の各部の形状は、好適な一例を示すものであり、図示の形状に限定されるものではない。例えば、図１や図４などに示すケース部蓋１２０及びケース部底面１３０の形状は一例を示すものであり、ケース部本体はその他の外形形状としてもよい。
【００４１】
また、ケース部本体は、図４などに分解して示すように、ベルト部材とは別体で構成するようにしたが、ベルト部材とケース部本体とを一体化するようにしてもよい。
なお、本例では、ベルト部材は、第１ベルト部材１１０と第２ベルト部材１４０，１５０とに分けるようにしたが、一体に構成してもよい。生体情報測定器１００を腕に装着する機構についても、いわゆる腕時計のベルトで普及した尾錠２１０を使うようにしたが、その他の構成で腕に装着するようにしてもよい。
また、第２ベルト部材１４０，１５０についても、第２ベルト部材（表側）１４０と第２ベルト部材（裏側）１５０とを貼り合わせる形状としたが、一体成形してもよい。
【符号の説明】
【００４２】
１００…生体情報測定器、１００ａ，１００ｂ…突出端、１１０…第１ベルト部材、１１１…カバー、１１２…透孔、１１２ａ…壁部、１１３…剣先側ベルト、１１４…親側ベルト、１１５ａ，１１５ｂ…長孔、１１６…装着用孔、１１７…尾錠接続部、１１８…ワッパ、１１９…端子蓋、１２０…ケース部蓋、１２１…表面部、１２２…上面部、１２３…ボタン、１２４…溝、１３０…ケース部底面、１３１…部品配置箇所、１３２…切欠、１４０…第２ベルト部材（表側）、１４１…枠、１４２…接続片、１４３…剣先側ベルト、１４４…親側ベルト、１４５，１４６…孔、１５０…第２ベルト部材（裏側）、１５１…中央部、１５１ａ…ネジ孔、１５２…剣先側ベルト、１５３…親側ベルト、１５４…筒部、１５５…センサ基板配置部、１５６，１５７…孔、１６０…センサ基板、１６１…センサ、１６２…接続部、１６３，１６４…孔、１７０…光学レンズアレー、１７１…レンズ部、２１０…尾錠、２１１…固定棒、２２０，２３０…連結金具、２２１，２３１…ピン、ａ…腕、ｗ…手首、ｆ１〜ｆ５…指
【図１】
2019054956.tif 000003
【図２】
2019054956.tif 000004
【図３】
2019054956.tif 000005
【図４】
2019054956.tif 000006
【図５】
2019054956.tif 000007
【図６】
2019054956.tif 000008
【図７】
2019054956.tif 000009
【図８】
2019054956.tif 000010